(57)【要約】【課題】予約運転機能を使用して洗濯を行う場合に、雨や汗で濡れた洗濯物を予約待機しても、特別な装置を用いることなく洗濯後の異臭を抑える。【解決手段】予約運転を設定する予約運転選択手段１０３と、予約時間または予約時刻を設定する予約時間設定手段１０４と、つけおき洗いを行うつけおき手段１１２と、計時手段１０７と、前記つけおき手段を制御する制御手段１０６とを備え、前記制御手段は、前記予約運転選択手段で予約運転が選択された場合、予約時間が所定値以上の時は、所定値を超えた時間に応じて設定された時間のつけおき行程をおこなうようにしたものである。【選択図】図１
2009034407.tif 000002
【特許請求の範囲】
【請求項１】
予約運転を設定する予約運転選択手段と、予約時間または予約時刻を設定する予約時間設定手段と、つけおき洗いを行うつけおき手段と、計時手段と、前記つけおき手段を制御する制御手段とを備え、前記制御手段は、前記予約運転選択手段で予約運転が選択された場合、予約時間が所定値以上の時は、所定値を超えた時間に応じて設定された時間のつけおき行程をおこなうようにした洗濯機。
【請求項２】
予約運転を設定する予約運転選択手段と、周囲または戸外の環境を検知する環境検知手段と、前記環境検知手段の検知結果から洗濯物の異臭発生を予測する異臭発生予測手段と、つけおき洗いを行うつけおき手段と、前記つけおき手段を制御する制御手段とを備え、前記制御手段は、前記予約運転選択手段で予約運転が選択された場合、前記異臭発生予測手段の予測に基いて設定された時間のつけおき行程をおこなうようにした洗濯機。
【請求項３】
環境検知手段は、周囲温度を検知する温度検知手段を備え、異臭発生予測手段は、前記温度検知手段で検知する周囲温度が第１の所定値以上のときに異臭発生の可能性が高いと予測する請求項２記載の洗濯機。
【請求項４】
環境検知手段は、周囲温度を検知する温度検知手段を備え、異臭発生予測手段は、前記温度検知手段で検知する周囲温度が第２の所定値以下のときに異臭発生の可能性が高いと予測する請求項２記載の洗濯機。
【請求項５】
環境検知手段は、カレンダー手段を備え、異臭発生予測手段は、前記カレンダー手段で現在の日付が所定期間の時に、異臭発生の可能性が高いと予測する請求項２記載の洗濯機。
【請求項６】
環境検知手段は、天気予報取得手段を備え、異臭発生予測手段は、前記天気予報取得手段で予約運転選択時以降の気圧または天気または気温または湿度または降水確率に応じて、異臭発生の可能性を予測する請求項２記載の洗濯機。
【請求項７】
制御手段は、脱水工程において、つけおき行程の時間により設定された時間で脱水を行うようにした請求項１〜６のいずれか１項に記載の洗濯機。
【請求項８】
コンピュータに請求項１〜７のいずれか１項に記載の洗濯機の少なくとも一部を実行させるためのプログラム。
【発明の詳細な説明】
【技術分野】
【０００１】
本発明は、予め決められた時間または時刻に運転を行う予約運転機能を有する洗濯機およびそのプログラムに関するものである。
【背景技術】
【０００２】
従来、洗濯機の予約運転機能を使用する場合、洗濯が開始されるまで洗濯物を投入した状態で待機することになる。この待機時間が長い場合には、洗濯物に雨や汗で濡れたものがあると洗濯しても異臭が残るという問題があった。
【０００３】
このような課題を解決するために、水を電気分解して生成した電解水による除菌すすぎ工程を行う洗濯機が考えられている（例えば、特許文献１参照）。また、他の方法として、金属イオン添加水により洗濯物に対して抗菌処理を行う抗菌処理コースを設けた洗濯機も考えられている（例えば、特許文献２参照）。
【０００４】
また、つけおき洗いと予約運転機能を備えた洗濯機も考えられている（例えば、特許文献３参照）。上記特許文献３に記載された洗濯機では、つけおき洗いの時間が３時間程度に設定されており、完了予約時刻に洗濯行程を完了させるとともに、洗濯行程の開始までの間を利用してつけおき洗いを行うようにしたものである。
【特許文献１】特開２００３−２８４８９８号公報
【特許文献２】特開２００４−３２１３０６号公報
【特許文献３】特開昭６２−１１７５８８号公報
【発明の開示】
【発明が解決しようとする課題】
【０００５】
しかしながら、前記従来の構成では、特許文献１に記載された洗濯機では、電解水を生成するための電解水生成手段が必要であり、また、特許文献２に記載された洗濯機では、金属イオンを溶出するイオン溶出手段が必要であることから、簡単な構成で洗濯物の異臭を防止することができないという課題を有していた。
【０００６】
特に、予約運転機能を利用して洗濯を行うときは、洗濯が開始されるまで洗濯物を投入した状態で待機時間が長時間に亘ると、雨や汗で濡れたものは洗濯しても異臭が残ることは避けることが難しいという問題があった。
【０００７】
本発明は、前記従来の課題を解決するもので、予約運転機能を使用して洗濯を行う場合に、雨や汗で濡れた洗濯物を予約待機しても、特別な装置を用いることなく洗濯後の異臭を抑えることを目的とする。
【課題を解決するための手段】
【０００８】
前記従来の課題を解決するために、本発明の洗濯機は、予約運転を設定する予約運転選択手段と、予約時間または予約時刻を設定する予約時間設定手段と、つけおき洗いを行うつけおき手段と、計時手段と、前記つけおき手段を制御する制御手段とを備え、前記制御手段は、前記予約運転選択手段で予約運転が選択された場合、予約時間が所定値以上の時は、所定値を超えた時間に応じて設定された時間のつけおき行程をおこなうようにしたものである。
【０００９】
これによって、予約運転機能を使用して洗濯を行う場合でも、使用したタオルやハンカチ、或いは、雨や汗で濡れた洗濯物等を予約待機しても、予約時間が所定値以上の時は、所定値を超えた時間に応じて設定された時間のつけおき行程を行った後に洗濯行程を実行するので、待機時間に応じて洗剤液によるつけおき行程で異臭の原因となる菌の増殖を抑えることができ、特別な装置を用いることなく洗濯後の異臭を抑えることができる。
【発明の効果】
【００１０】
本発明の洗濯機は、予約運転機能を使用して洗濯を行う場合でも、つけおき行程で異臭の原因となる菌の増殖を抑えることができ、特別な装置を用いることなく洗濯後の異臭を抑えることができる。
【発明を実施するための最良の形態】
【００１１】
第１の発明は、予約運転を設定する予約運転選択手段と、予約時間または予約時刻を設定する予約時間設定手段と、つけおき洗いを行うつけおき手段と、計時手段と、前記つけおき手段を制御する制御手段とを備え、前記制御手段は、前記予約運転選択手段で予約運転が選択された場合、予約時間が所定値以上の時は、所定値を超えた時間に応じて設定された時間のつけおき行程をおこなうようにしたことにより、予約運転機能を使用して洗濯を行う場合でも、使用したタオルやハンカチ、或いは、雨や汗で濡れた洗濯物等を予約待機しても、予約時間が所定値以上の時は、所定値を超えた時間に応じて設定された時間のつけおき行程を行った後に洗濯行程を実行するので、待機時間に応じて洗剤液によるつけおき行程で異臭の原因となる菌の増殖を抑えることができ、特別な装置を用いることなく洗濯後の異臭を抑えることができる。
【００１２】
第２の発明は、予約運転を設定する予約運転選択手段と、周囲または戸外の環境を検知する環境検知手段と、前記環境検知手段の検知結果から洗濯物の異臭発生を予測する異臭発生予測手段と、つけおき洗いを行うつけおき手段と、前記つけおき手段を制御する制御手段とを備え、前記制御手段は、前記予約運転選択手段で予約運転が選択された場合、前記異臭発生予測手段の予測に基いて設定された時間のつけおき行程をおこなうようにしたことにより、異臭発生の可能性が高いと予測した時は、予測に基いて設定された時間のつけおき行程をおこなうので、異臭の原因となる菌の増殖を抑えることができ、特別な装置を用いることなく洗濯後の異臭を抑えることができる。
【００１３】
第３の発明は、特に、第２の発明の環境検知手段は、周囲温度を検知する温度検知手段を備え、異臭発生予測手段は、前記温度検知手段で検知する周囲温度が第１の所定値以上のときに異臭発生の可能性が高いと予測することにより、洗濯が開始されるまでに高温下での待機による菌の増殖を抑えることができ、特別な装置を用いることなく洗濯後の異臭を抑えることができる。
【００１４】
第４の発明は、特に、第２の発明の環境検知手段は、周囲温度を検知する温度検知手段を備え、異臭発生予測手段は、前記温度検知手段で検知する周囲温度が第２の所定値以下のときに異臭発生の可能性が高いと予測することにより、洗濯後、乾燥するまで湿った状態に置かれることによる菌の増殖を抑えることができ、特別な装置を用いることなく洗濯後の異臭を抑えることができる。
【００１５】
第５の発明は、特に、第２の発明の環境検知手段は、カレンダー手段を備え、異臭発生予測手段は、前記カレンダー手段で現在の日付が所定期間の時に、異臭発生の可能性が高いと予測することにより、天気が悪い日や湿度が高い日、さらには、気温が低く洗濯物が乾きにくい日には、予測に基いて設定された時間のつけおき行程をおこなうので、異臭の原因となる菌の増殖を抑えることができ、特別な装置を用いることなく洗濯後の異臭を抑えることができる。
【００１６】
第６の発明は、特に、第２の発明の環境検知手段は、天気予報取得手段を備え、異臭発生予測手段は、前記天気予報取得手段で予約運転選択時以降の気圧または天気または気温または湿度または降水確率に応じて、異臭発生の可能性を予測することにより、予測に基いて設定された時間のつけおき行程をおこなうので、異臭の原因となる菌の増殖を抑えることができ、特別な装置を用いることなく洗濯後の異臭を抑えることができる。
【００１７】
第７の発明は、特に、第１〜第６のいずれか１つの発明の制御手段は、脱水工程において、つけおき行程の時間により設定された時間で脱水を行うようにしたことにより、洗濯行程後に洗濯物を取り出すまでの待機時や、取り出し後も乾燥時間を短縮して菌の増殖を抑えることができ、洗濯後の異臭を抑えることができる。
【００１８】
第８の発明は、コンピュータに請求項１〜７のいずれか１項に記載の洗濯機の少なくとも一部を実行させるためのプログラムであることにより、電気・情報機器、コンピュータ、サーバー等のハードリソースを協働させて本発明の少なくとも一部を容易に実現することができる。また、記録媒体に記録したり通信回線を用いてプログラムを配信したりすることで、プログラムの配布・更新やそのインストール作業が簡単にできる。
【００１９】
以下、本発明の実施の形態について、図面を参照しながら説明する。なお、この実施の形態によって本発明が限定されるものではない。
【００２０】
（実施の形態１）
図１は、本発明の実施の形態１における洗濯機の構成を示すブロック図、図２は、同洗濯機の動作の流れを示すフローチャートである。
【００２１】
図１において、１０１は洗濯機で、１０２は使用者が洗濯機１０１の運転を操作するための操作手段で、操作手段１０２は、予約運転選択手段１０３と予約時間設定手段１０４（本実施の形態では何時間後に全工程動作完了するかを設定）とつけおき選択手段１０５などを有している。１０６は制御手段、１０７は工程の時間管理や開始時間チェックを行うための計時手段、１１２はつけおき洗いを行うつけおき手段である。また、１０８は給水手段、１０９は攪拌手段、１１０は排水手段、１１１は脱水手段、つけおき手段１１２は給水手段１０８と攪拌手段１０９を有している。
【００２２】
本実施の形態では、洗剤投入は使用者が直接洗濯物上に投入するか、図示してはいないが、給水手段１０８の給水経路上に設けた洗剤ケースに使用者が洗剤を給水前にセットしておくことにより、給水手段１０８が給水を行う際に洗濯物上に一緒に降り注ぐことによって行われ、つけおき手段１１２は、給水手段１０８によってこの洗剤水が洗濯物の量に応じて給水された状態で、洗剤水を洗濯物を馴染ませるため所定時間（本実施の形態では１５秒間）攪拌手段１０９で攪拌した後、所定時間その状態で待機することで動作を実現するようにしている。このつけおき中に時々攪拌手段１０９で短時間攪拌してもよい。
【００２３】
本実施の形態では、つけおきコースも別途用意しているので、つけおき選択手段１０５でつけおきが選択された場合には、つけおきコースに定められたつけおき時間（本実施の形態では１時間）のつけおき工程が行われる。洗濯工程は、同じく給水手段１０８と攪拌手段１０９で動作が行われ、予め定められた時間、洗剤水をほぼ常時攪拌する状態で行われ、つけおき工程が先立って行われた場合には、給水は行わず、そのまま攪拌を行う。
【００２４】
すすぎ工程は、排水手段１１０で汚れた洗剤水を排水後、脱水手段１１１で脱水工程での脱水時間よりは短時間の脱水を行い、その後給水手段１０８で給水後（ここでは洗剤ケースの洗剤は既に残存していないので水のみが洗濯物の上に降り注ぐ）、攪拌手段１０９で攪拌を行う。この排水から給水、攪拌に至る一連の動作を予め決められた回数だけ繰り返して行う。脱水工程は排水手段１１０で汚れた洗剤水を排水後、予め定められた時間、脱水手段１１１で脱水を行う。これらの４工程（つけおき工程は、ない場合あり）が全て終了した時点で動作完了となる。
【００２５】
以上のように構成された洗濯機について、以下、その動作、作用を説明する。まず、使用者は、洗濯機１０１の操作手段１０２により運転操作指示の入力を行う。ここで、例えば、使用者がつけおき選択手段１０５でつけおきありを選択した場合には、制御手段１０６は、予約運転選択手段１０３での予約運転の選択の有無に関わらず、つけおき時間は予め定められた１時間に設定され、運転開始時間になれば（予約運転選択手段１０３で予約運転が選択されていない場合には図示してはいないが操作手段１０２に備えられた運転開始手段による運転開始操作時点、予約運転選択手段１０３で予約運転が選択されている場合にはこの１時間のつけおきを行うつけおき工程の動作時間と、そのコースの予め決められた（洗濯工程＋すすぎ工程＋脱水工程）の全工程の動作時間の合計を、予約時間設定手段１０４で設定された時間から差し引いた時間だけ、操作手段１０２に備えられた運転開始手段による運転開始操作時から経過した時点）、つけおきコースで定められた１時間のつけおき工程を行い、その後つけおきコースで定められた時間や回数の、洗濯工程（つけおきコースの場合は操作手段１０１での設定によって洗濯工程を省くことができる）とすすぎ工程と脱水工程を行い、動作完了する（ステップ１、ステップ２、ステップ８〜１２）。
【００２６】
次に、つけおき選択手段１０５でつけおきを選択しない場合の動作を説明する。使用者が、操作手段１０２により図示しないコース選択手段によりコースの選択を行った後、予約運転選択手段１０３で選択したコースの予約運転が選択された時には、予約時間設定手段１０４で設定された時間（本実施の形態では何時間後を設定するので例えば６時間後）が所定時間（本実施の形態では４時間）以上かどうかチェックする（ステップ３、ステップ４）。
【００２７】
４時間以上であれば、運転開始までの待機時間と４時間との差分の時間に、１時間あたり１５分を重みとして重み付けしたものを、つけおき工程の時間として設定する。すなわち、本実施の形態では、（運転開始までの待機時間−４時間）×１５分、但し、最大１時間と設定するので、６時間後であれば（６−４）×１５分＝３０分、８時間後以上は１時間と設定する（ステップ５）。また、この時、前記つけおき工程の時間に、つけおき工程の時間１分あたり２秒を重みとして重み付けしたものを、選択しているコースで予め決められている脱水時間（本実施の形態では３分）に加算して、脱水工程で行う脱水時間として設定する。すなわち、本実施の形態では、３分＋つけおき工程の時間×２秒、つけおき工程の時間が３０分であれば３分＋３０×２秒＝４分と設定する（ステップ７）。
【００２８】
その後、本実施の形態では予約時間は動作完了時間であるため、運転開始時間になったかどうかを、すなわち、ステップ５で設定したつけおき時間のつけおきを行うつけおき工程の動作時間と、そのコースの予め決められた（洗濯工程＋すすぎ工程）の動作時間と、ステップ７で設定した脱水時間の脱水を行う脱水工程の動作時間の合計を、予約時間設定手段１０４で設定された時間から差し引いた時間だけ、操作手段１０２に備えられた運転開始手段による運転開始操作時から経過した時点になったかどうかを、計時手段１０７でチェック（ステップ８）して、つけおき工程、洗濯工程、すすぎ工程、脱水工程を行い、動作完了する（ステップ８〜１２）。
【００２９】
使用者が、操作手段１０２により図示しないコース選択手段によりコースの選択を行った後、予約運転選択手段１０３で予約運転を選択せずに動作開始した場合及び、予約運転選択手段１０３で予約運転を選択したが予約時間設定手段１０４で設定された時間が所定時間未満（本実施の形態では４時間未満）の場合には、つけおき時間をなしに設定して（ステップ３とステップ６、またはステップ３とステップ４とステップ６）、運転開始時間になったかどうかをチェック（ステップ８）して、洗濯工程、すすぎ工程、脱水工程を行い、動作完了する（ステップ８、ステップ１０〜１２）。この場合は、つけおき時間なしのため、つけおき工程（ステップ９）は省かれる。
【００３０】
以上のように、本実施の形態においては、予約運転を設定する予約運転選択手段１０３と、予約時間または予約時刻を設定する予約時間設定手段１０４と、つけおき洗いを行うつけおき手段１１２と、計時手段１０７と、つけおき手段１１２を制御する制御手段１０６とを備え、制御手段１０６は、予約運転選択手段１０３で予約運転が選択された場合、予約時間即ち、運転開始までの待機時間が所定値以上の時は、所定値を超えた時間に応じて設定された時間のつけおき行程をおこなうようにしたことにより、予約運転機能を使用して洗濯を行う場合でも、使用したタオルやハンカチ、或いは、雨や汗で濡れた洗濯物等を予約待機しても、予約時間が所定値以上の時は、所定値を超えた時間に応じて設定された時間のつけおき行程を行った後に洗濯行程を実行するので、待機時間に応じて洗剤液によるつけおき行程で異臭の原因となる菌の増殖を抑えることができ、特別な装置を用いることなく洗濯後の異臭を抑えることができる。
【００３１】
また、制御手段１０６は、脱水工程において、つけおき行程の時間により設定された時間で脱水を行うようにしたことにより、洗濯行程後に洗濯物を取り出すまでの待機時や、取り出し後も乾燥時間を短縮して菌の増殖を抑えることができ、洗濯後の異臭を抑えることができる。
【００３２】
なお、予約時間設定手段１０４では、何時間後に全工程動作完了するかを設定するようにしているが、動作完了時刻としてもよい。また、いずれも動作完了ではなく、動作開始時間や動作開始時刻としてもよいので、その開始時間までの時間をチェックするようにしてもよい。
【００３３】
また、本実施の形態では、制御手段１０６は、予約時間即ち、運転開始までの待機時間が所定値以上の時は、つけおき工程の時間を設定する際に、所定値を超えた時間の重みを一様に１５分とし、脱水時間を設定する際に、つけおき工程の１分あたりの重みを一様に２秒としたが、いずれも範囲を設けて範囲毎に重みを変えて重み付けするようにしてもかまわない。
【００３４】
（実施の形態２）
図３は、本発明の実施の形態２における洗濯機の構成を示すブロック図、図４は、同洗濯機の異臭発生予測手段１１５の予測例を示すフローチャートである。
【００３５】
図３において、１１９は制御手段で、また、図１の構成に加えて、温度検知手段１１６、カレンダー手段１１７、天気予報取得手段である湿度検知手段１１８などから成る環境検知手段１１４、異臭発生予測手段１１５を有している。
【００３６】
以上のように構成された洗濯機について、以下その動作、作用を説明する。まず、環境検知手段１１４により異臭発生予測手段１１５が異臭発生予測を行う動作を、環境検知手段１１４の温度検知手段１１６の場合について説明する。
【００３７】
温度検知手段１１６は、予約運転選択手段１０３で予約運転が選択された時点の周囲温度を検知する。温度検知手段１１６が検知した周囲温度が第１の所定値（本実施の形態では２５℃）以上の時に、異臭発生予測手段１１５は異臭発生可能性が高いと予測する（ステップ１３、１５）。
【００３８】
また、温度検知手段１１６が検知した周囲温度が第２の所定値（本実施の形態では１０℃）以下の時には、異臭発生予測手段１１５は異臭発生可能性が高いと予測する（ステップ１４、１５）。
【００３９】
同様に、カレンダー手段１１７の場合は、異臭発生予測手段１１５は、カレンダー手段１１７で現在の日付が所定期間の時に（本実施の形態では６月１日〜８月３１日と１２月１日〜３月１日の期間中であれば）、異臭発生可能性が高いと予測する。
【００４０】
また同様に、湿度検知手段１１８の場合は、予約運転選択手段１０３で予約運転が選択された時点の湿度をチェックする。所定値以上（本実施の形態では６０％以上）の時、異臭発生予測手段１１５は、異臭発生可能性が高いと予測する。
【００４１】
即ち、異臭発生予測手段１１５は、環境検知手段１１４を構成する温度検知手段１１６またはカレンダー手段１１７または湿度検知手段１１８の少なくとも１つが異臭発生の条件を満たせば、異臭発生可能性が高いと予測する。
【００４２】
まず、使用者は、洗濯機１１３の操作手段１０２により運転操作指示入力を行う。ここで、例えば、使用者がつけおき選択手段１０５でつけおきありを選択した場合の動作は、実施の形態１と同様である。
【００４３】
次に、つけおき選択手段１０５でつけおきを選択しない場合の動作を説明する。使用者が、操作手段１０２により図示しないコースの選択を行った後、予約運転選択手段１０３で予約運転が選択された場合、予約時間即ち、運転開始までの待機時間が所定値以上の時は、所定値を超えた時間に応じてつけおき工程の時間を設定する動作は、本実施の形態１と同様である。
【００４４】
予約運転選択手段１０３で予約運転が選択された場合、予約時間即ち、運転開始までの待機時間が所定時間未満（本実施の形態では４時間未満）の場合でも、制御手段１１９は、異臭発生可能性が高い場合を１、そうでない場合を０として、１あたり３０分の重みで重み付けしたものを、異臭発生予測手段１１５の予測に基づくつけおき工程の時間として設定する。即ち、本実施の形態では、異臭発生可能性が高い場合は、１×３０分＝３０分、そうでない場合は、０×３０分＝０分と設定する。
【００４５】
制御手段１１９は、最終的に、予約時間に応じて設定されたつけおき工程の時間と、異臭発生予測手段１１５の予測に基づくつけおき工程の時間とのうち、いずれか長い時間をつけおき工程の時間として設定する。また、制御手段１１９は、実施の形態１と同様に、つけおき行程の時間に基づいて脱水工程で行う脱水時間を設定する。
【００４６】
その後、制御手段１１９は、運転開始時間になったことを計時手段１０７で検知すると、この最終的に設定された時間のつけおき行程をおこない、洗濯工程、すすぎ工程を経て、つけおき行程の時間に基づいた脱水時間の脱水工程を行い、動作完了する。
【００４７】
以上のように、本実施の形態においては、予約運転を設定する予約運転選択手段１０３と、周囲または戸外の環境を検知する環境検知手段１１４と、環境検知手段１１４の検知結果から洗濯物の異臭発生を予測する異臭発生予測手段１１５と、つけおき洗いを行うつけおき手段１１２と、つけおき手段１１２を制御する制御手段１１９とを備え、制御手段１１９は、予約運転選択手段１０３で予約運転が選択された場合、異臭発生予測手段１１５の予測に基いて設定された時間のつけおき行程をおこなうようにしたことにより、予約待機時間にかかわらず、異臭発生の可能性が高いと予測した時は、予測に基いて設定された時間のつけおき行程をおこなうので、異臭の原因となる菌の増殖を抑えることができ、特別な装置を用いることなく洗濯後の異臭を抑えることができる。
【００４８】
また、環境検知手段１１４は、周囲温度を検知する温度検知手段１１６を備え、異臭発生予測手段１１５は、温度検知手段１１６で検知する周囲温度が第１の所定値以上のときに異臭発生の可能性が高いと予測することにより、洗濯が開始されるまでに高温下での待機による菌の増殖を抑えることができ、特別な装置を用いることなく洗濯後の異臭を抑えることができる。
【００４９】
さらに、環境検知手段１１４は、周囲温度を検知する温度検知手段１１６を備え、異臭発生予測手段１１５は、温度検知手段１１６で検知する周囲温度が第２の所定値以下のときに異臭発生の可能性が高いと予測することにより、洗濯後、乾燥するまで湿った状態に置かれることによる菌の増殖を抑えることができ、特別な装置を用いることなく洗濯後の異臭を抑えることができる。
【００５０】
また、環境検知手段１１４は、カレンダー手段１１７を備え、異臭発生予測手段１１５は、カレンダー手段１１７で現在の日付が所定期間の時に、異臭発生の可能性が高いと予測することにより、天気が悪い日や湿度が高い日、さらには、気温が低く洗濯物が乾きにくい日には、予測に基いて設定された時間のつけおき行程をおこなうので、異臭の原因となる菌の増殖を抑えることができ、特別な装置を用いることなく洗濯後の異臭を抑えることができる。
【００５１】
また、環境検知手段１１４は、天気予報取得手段（本実施の形態では湿度検知手段１１８）を備え、異臭発生予測手段１１５は、天気予報取得手段で予約運転選択時以降の気圧または天気または気温または湿度または降水確率に応じて、異臭発生の可能性を予測することにより、予測に基いて設定された時間のつけおき行程をおこなうので、異臭の原因となる菌の増殖を抑えることができ、特別な装置を用いることなく洗濯後の異臭を抑えることができる。
【００５２】
なお、本実施の形態では、環境検知手段１１４は、温度検知手段１１６、カレンダー手段１１７、湿度検知手段１１８の全てを有しているが、いずれか１つ以上でもよい。
【００５３】
また、本実施の形態では、天気予報取得手段として湿度検知手段１１８としたが、気圧検知手段を用いて、気圧の変化で雨傾向にあるときは異臭発生可能性が高いと予測をしてもかまわないし、天気または気温または降水確率などの検知手段としてもよく、インターネット等の外部情報を受信して取得するようにしてもよい。
【００５４】
また、本実施の形態では制御手段１１９が、予約時間が所定値以上の時は、所定値を超えた時間に応じて設定された時間のつけおき行程をおこなうようにもしているが、環境検知手段１１４により異臭発生予測手段１１５が異臭発生可能性が高いと予測した時だけ、予測に基いて設定された時間のつけおき行程をおこなうような構成としてもよい。
【００５５】
また、本実施の形態では、異臭発生予測手段１１５での予測を、高いかそうでないかの２値としたが、予測を百分率としてその百分率に重み付けしてつけおき工程の時間を設定するようにしてもかまわないし、制御手段１１９は、つけおき工程の時間の設定の際に、百分率の範囲を例えば、３０％以下、３０％〜５０％、５０％以上等のようにして各々の範囲の重みを変えて重み付けするようにしてもかまわない。
【００５６】
さらに、本実施の形態では、環境検知手段１１４は、予約運転選択手段１０３で予約運転が選択された時点の環境の状態を検知して、異臭発生予測手段１１５が異臭発生可能性を予測するようにしたが、所定時間内の平均値、中間値、あるいは最大値や最低値を用いるようにしてもよい。
【００５７】
なお、本実施の形態で説明した洗濯機の制御手段１１９や異臭発生予測手段１１５は、ＣＰＵ（またはマイコン）、ＲＡＭ、ＲＯＭ、記憶・記録洗濯機、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００５８】
以上のように、本発明にかかる洗濯機およびそのプログラムは、予約運転機能を使用して洗濯を行う場合でも、特別な装置を用いることなく洗濯後の異臭を抑えることができるので、乾燥機能を搭載した洗濯機に適用できるほか、家庭用だけでなく業務用の洗濯機または洗濯システムとしても有用である。
【図面の簡単な説明】
【００５９】
【図１】本発明の実施の形態１における洗濯機の構成を示すブロック図
【図２】同洗濯機の動作の流れを示すフローチャート
【図３】本発明の実施の形態２における洗濯機の構成を示すブロック図
【図４】同洗濯機の異臭発生予測手段の予測例を示すフローチャート
【符号の説明】
【００６０】
１０１  洗濯機
１０３  予約運転選択手段
１０４  予約時間設定手段
１０６  制御手段
１０７  計時手段
１１２  つけおき手段
１１３  洗濯機
１１４  環境検知手段
１１５  異臭発生予測手段
１１６  温度検知手段
１１７  カレンダー手段
１１８  湿度検知手段（天気予報取得手段）
１１９  制御手段
【図１】
2009034407.tif 000003
【図２】
2009034407.tif 000004
【図３】
2009034407.tif 000005
【図４】
2009034407.tif 000006